(57)【要約】  くるみデバイスが記述される。くるみデバイスは、実質的に乳児を囲むように構成される袋を含む。袋は、スリーブおよび乳児をくるむように構成される付属のラップを含む。くるみデバイスは、乳児の動きを少なくとも部分的に制限してそれによりモロ反射を抑制する一方で、また乳児の胴体をぴったりと包囲し、それにより適度の一定の圧力をそこに提供する。ラップは、乳児の腰と膝の動きを制限しないように十分に狭く、同時におむつ交換のため乳児の下半身へのアクセスを提供する。デバイスのいくつかの型は、折り返しミトンカフスまたは他の選択的に開放可能な機構をその端部に有するスリーブを含む。カフスは、介護者が皮膚と皮膚の接触を提供するように乳児の手を露出することを可能にする。別の方法として、引っ掻きが心配な場合、介護者は、カフスを閉じることができる。【選択図】図１Ａ
2021512237.tif 000002
【特許請求の範囲】
【請求項１】
くるみデバイスであって、
左側、右側、上部、中央部、および底部を有する袋であって、前記袋は、乳児を実質的に囲むように構成され、前記袋は、首開口部を含む、袋と、
前記首開口部の第１の側で前記袋に結合される第１のスリーブ部と、
前記首開口部の第２の側で前記袋に結合される第２のスリーブ部であって、前記第２の側が前記第１の側の反対側である、第２のスリーブ部と、
前記乳児の腕および胴体の一部をくるむように操作可能なラップであって、前記ラップは、前記首開口部から前記袋の前記底部に延びる第２の軸に対して垂直な第１の軸に沿って延び、前記ラップは、前記第１の軸に沿って測定される長さを有し、前記長さが、前記袋の最大周囲長より長く、前記ラップは、上端および下端を有し、前記上端が、前記首開口部より下にあり、前記下端が前記上端より下で、前記袋の前記底部より上にある、ラップと、を含み、
前記くるみデバイスは、前記乳児の動きを少なくとも部分的に制限してそれによりモロ反射を抑制する一方で、また前記乳児の胴体をぴったりと包囲し、それにより適度の一定の圧力をそこに提供する、くるみデバイス。
【請求項２】
前記底部は、前記中央部の平均周囲長より長い平均周囲長を有し、前記底部は、前記乳児がその腰と膝を曲げたり伸ばしたりする余地を提供すると同時に、適度に動きの範囲を制限し、モロ反射の部分的抑制を提供するように構成される、請求項１に記載のくるみデバイス。
【請求項３】
前記ラップは、前記第２の軸に沿って測定された前記上端と下端の間の最大幅を有し、前記最大幅が、１３インチ（３３ｃｍ）未満である、請求項１に記載のくるみデバイス。
【請求項４】
前記ラップの前記下端は、前記袋の前記中央部の最も狭い部分より下であって、４インチ（１０．１６ｃｍ）を超えて下ではない、請求項１に記載のくるみデバイス。
【請求項５】
前記ラップの長さは、前記袋の前記上部の最大周囲長の少なくとも１．５倍である、請求項１に記載のくるみデバイス。
【請求項６】
前記ラップの長さは、前記袋の前記上部の最大周囲長の少なくとも２倍であり、前記ラップが前記ラップを固定するためのファスナを含まない、請求項１に記載のくるみデバイス。
【請求項７】
前記ラップは、前記ラップを固定するように構成される少なくとも１つのフックアンドループファスナを含む、請求項１に記載のくるみデバイス。
【請求項８】
前記ラップは、前記袋の後部布パネルに取り付けられる布パネルを含み、前記ラップは、前記袋の前部布パネルに取り付けられる、請求項１に記載のくるみデバイス。
【請求項９】
前記ラップの下縁が、少なくとも２か所で前記袋の前記前部パネルに縫いとじられる、請求項８に記載のくるみデバイス。
【請求項１０】
前記第１のスリーブ部および第２のスリーブ部は、前記くるみデバイスの肩線より上に遠位端を有するＹ字形構成で上方へ延び、前記第１のスリーブ部および第２のスリーブ部は、前記乳児の腕の動きを制限するように構成される、請求項１に記載のくるみデバイス。
【請求項１１】
前記第１のスリーブ部および前記第２のスリーブ部はそれぞれ、介護者によって選択的に開放可能な遠位端を有し、その結果、前記遠位端が開位置にあるとき、前記乳児の手が露出し、前記遠位端が閉位置にあるとき、前記乳児の前記手が、前記スリーブ部内に囲まれる、請求項１に記載のくるみデバイス。
【請求項１２】
前記第１のスリーブ部および前記第２のスリーブ部はそれぞれ、前記介護者によって選択的に開放可能な折り返しミトンカフスを含み、前記カフスは、前記スリーブ部の内部へのアクセスを可能にするため前記スリーブ部の材料をそれ自体の上に戻すことによって開かれる、請求項１１に記載のくるみデバイス。
【請求項１３】
前記中央部は、前記乳児の腹の周囲長より５〜１０％短い平均周囲長を有して、乳児の腹に適度の一定の圧力を提供し、前記底部は、前記中央部の周囲長より５０％長い平均周囲長を有する、請求項１に記載のくるみデバイス。
【請求項１４】
前記ラップは、前記乳児の一方または両方の腕が前記ラップの外側にありながら、前記乳児をくるむように操作可能であり、前記乳児の両方の腕が前記ラップの外側にあるとき、前記袋の前記上部は、腹臥位のとき、自分の胴体を持ち上げて自分の頭の位置を変えるため乳児が十分な可動範囲で自分の腕を使うことをさらに可能にするモロ反射に関連する腕の動きを部分的に抑制する、請求項１に記載のくるみデバイス。
【請求項１５】
前記第１および第２のスリーブ部は、前記くるみデバイスの前記肩線より上に遠位端を有するＹ字形構成で上方へ延び、前記スリーブ部はそれぞれ、前記ミトンカフスが開いているとき、乳児が自分の手を口に容易にアクセスでき、口の中に入れることができるように標準の長いスリーブより短いスリーブ長を有する、請求項１に記載のくるみデバイス。
【請求項１６】
前記袋は、前記乳児用の前記袋への入口および前記乳児用の前記袋からの出口を提供する双方向ジッパーまたはスナップを含み、前記ジッパーまたはスナップは、前記首開口部から前記袋の前記中央部を通って前記袋の前記底部まで下方へ延び、前記ジッパーまたはスナップは、前記乳児が前記ラップに囲まれていても、前記乳児によって履かれたおむつにアクセスするように操作可能である、請求項１に記載のくるみデバイス。
【請求項１７】
前記スリーブ部は、乳児の腕と手が前記スリーブ部内に収まるための十分な余地を可能にし、それにより乳児が胸に手を載せる、肘と肩に並んだ手が体のそばにある、腕がタッチダウン位置で肩の上に達することを含む複数の自然な姿勢で眠ることを可能にし、前記スリーブは制限された移動を可能にして、モロ反射に関連する腕の動きを部分的に抑制する、請求項１に記載のくるみデバイス。
【請求項１８】
くるみデバイスであって、
首開口部を含み、実質的に乳児を囲むように構成される袋と、
前記首開口部の第１の側で前記袋に結合される第１のスリーブ部と、
前記首開口部の第２の側で前記袋に結合される第２のスリーブ部であって、前記第２の側が前記第１の側の反対側である、第２のスリーブ部と、
前記乳児の腕と胴体の一部をくるむように操作可能なラップであって、前記ラップが前記袋の最大周囲長より長い長さを有し、前記ラップが前記乳児の腰より上に位置する下縁を有する、ラップと、を含み、
前記くるみデバイスは、前記乳児の動きを少なくとも部分的に制限してそれによりモロ反射を抑制する一方で、また前記乳児の腹をぴったりと包囲し、それにより適度の一定の圧力をそこに提供する、くるみデバイス。
【請求項１９】
前記袋は前部パネルと後部パネルを含み、前記ラップは２つの別々の場所でステッチによって前記前部パネルに取り付けられる、請求項１８に記載のくるみデバイス。
【請求項２０】
前記第１のスリーブ部および前記第２のスリーブ部はそれぞれ、介護者によって選択的に開放可能な遠位端を有し、その結果、前記遠位端が開位置にあるとき、前記乳児の手が露出し、前記遠位端が閉位置にあるとき、前記乳児の前記手が、前記スリーブ部内に囲まれる、請求項１８に記載のくるみデバイス。
【発明の詳細な説明】
【技術分野】
【０００１】
本開示は、乳児用のくるみデバイスに関する。
【背景技術】
【０００２】
典型的な従来技術のくるみデバイスは、乳児が自分の手への皮膚と皮膚のアクセスを有することができない。乳児が自分の手にアクセスするのを防止する従来のくるみポッドの設計の例は、米国特許第８，６０７，３６４号に記載されている。吸い込んで自己やすらぎを得るための乳児の手へのアクセスを防止するこの従来のくるみポッドの設計は、乳児にとってその手にアクセスすることが非常に重要であるので、乳児の最大の関心事ではない。
【０００３】
従来のくるみポッドの設計の別の例は、米国特許第９，１７９，７１１号に記載されている。記載されている設計は、乳児が袋の布を通してその手を吸うことを可能にするが、皮膚と皮膚との直接のアクセスがない寝袋である。乳児が布を通して吸うことを要求するこの従来のくるみポッドの設計は、皮膚と皮膚との接触がより自然であるため、理想的でないかまたは乳児の最大の関心事ではない。加えて、乳児が布を吸っている場合、乳児は、衣服を洗濯して乾燥させた後に布に残存する、洗剤または柔軟剤を摂取することになる。
【０００４】
従来のくるみデバイスの設計の別の例は、米国特許第７，２４６，３９２号に記載されている。記載されている設計は、典型的にはフックアンドループファスナを含んで、乳児の腕を長くて幅広いラップの機能で抑制する。腰の下に延びるこの設計におけるラップの幅により、乳児がその腰と膝を曲げる、かつ／または伸ばすことが難しくなる。両親に不適切に使用されたり、過度にきつく引っ張られたりした場合、この設計では、可動性を損ない、股関節形成不全の危険を増す。加えて、ラップは、乳児の腰の下にかなり延びるので、ラップを外すことなくおむつを取り替えることができない。
【発明の概要】
【発明が解決しようとする課題】
【０００５】
さらに、従来技術の設計は、ラップと組み合わされた一体型スリーブまたは乳児の腕を抑制する機構を含まない。加えて、多くの乳児は、一方または両方の腕を頭の上にして抑制されない状態で眠るのを好み、従来技術の設計は、腕がラップの外にあるとき、モロ反射を抑制するまたは部分的に抑制する機能を提供しない。したがって、典型的な従来技術の設計は、乳児が一つまたは複数の腕をスリーブの中に入れラップの外側に出した状態で寝るためのオプションを提供することによってこのニーズに対処することができない。
【図面の簡単な説明】
【０００６】
【図１Ａ】図１Ａおよび１Ｂは、第１の実施形態によるくるみデバイスの、カフスが開位置にある、正面図および背面図を示す線図である。
【図１Ｂ】同上。
【０００７】
【図２Ａ】図２Ａおよび２Ｂは、第１の実施形態によるくるみデバイスの、カフスが閉位置にある、正面図および背面図を示す線図である。
【図２Ｂ】同上。
【０００８】
【図３Ａ】図３Ａおよび３Ｂは、第２の実施形態によるくるみデバイスの、カフスが開位置にある、正面図および背面図を示す線図である。
【図３Ｂ】同上。
【０００９】
【図４】図４は、第３の実施形態によるくるみデバイスの、折り返しミトンカフスを有しない、正面図を示す線図である。
【００１０】
【図５】図５は、くるみデバイスの例示的な実施形態における乳児を示す線図である。
【００１１】
【図６Ａ】図６Ａ〜６Ｃは、くるみデバイスの例示的な実施形態の図を示す画像である。
【図６Ｂ】同上。
【図６Ｃ】同上。
【発明を実施するための形態】
【００１２】
本明細書に記載の実施形態は、調整可能ラップを備えるくるみ袋（「ＳＳＡＷ」）と呼ばれる場合がある、くるみデバイスを提供する。ＳＳＡＷは、乳児用の革新的なくるみポッド、ウェアラブルブランケット、寝袋である。ＳＳＡＷは、乳児をくるむように操作可能な付属の調整可能ラップを含む。ＳＳＡＷのいくつかの実施形態はまた、自己やすらぎのために乳児が手への完全なアクセスを有することを可能にする折り返しミトンカフスを備える独自に変更され形状設定されたスリーブを含み、その設計は、乳児のための複数の自然な腕の位置オプションをサポートする。
【００１３】
ＳＳＡＷの革新的な設計は、安全で使いやすい複数の利点を介護者に提供する。ＳＳＡＷは、その使用に対していくつかの異なるオプションを提供する。第１の構成では、乳児は、胸または乳児の正中線上に両腕を置いて、手を下げるか上げるかいずれかの状態で、顔の近くにもってくる姿勢でくるまれることができる。手を顔の近くに持ってくることにより、乳児はさらに以下で説明する自己やすらぎが可能になる。第２の構成では、乳児は、片方の腕がラップの外側にある姿勢でくるまれることができる。この方法で乳児を包むことで、スリーブおよびカフスの設計によって達成されるラップの外側にある腕にモロ反射の部分的な抑制を有するくるみの利点を提供する。第３の構成では、乳児は、両方の腕がラップの外側にある姿勢でくるまれることができる。この方法で乳児を包むことにより、スリーブおよびカフスの設計によって達成されるラップの外側にある腕に乳児の胴体上の圧力の、モロ反射の部分的な抑制を有するくるみの利点を提供すると同時に、乳児が腹の上で寝返りする場合に乳児の可動性を増すことによって安全に関する利点も提供する。
【００１４】
ＳＳＡＷは、介護者が乳児の腕を乳児の体の近くに配置して容易にくるむことができるフックアンドループファスナを備えるくるみラップを含む。０〜３か月までの多くの新生児で、腕がぴったりとくるまれているとき、その手へのアクセスを可能にして乳児が自己やすらぎを得ることを可能にすることで、モロ反射により引き起こされる目覚めを減らすことができると研究は示す。一部の新生児では、手へのアクセスによって、乳児が自身の顔を引っ掻くことになり、親と乳児に苦痛をもたらすが、引っ掻く癖を持つ乳児に対して、親は折り返しカフスを閉じて引っ掻きを防止し、乳児が木綿布を通して手を吸えるようにできる。
【００１５】
ＳＳＡＷラップは、従来技術のくるみに比べて比較的狭く、典型的には、乳児の腰の下、または膝の下に延びる。ＳＳＡＷの狭いラップは、複数の利点を提供する。狭いラップは、乳児の腰および膝を上向きおよび外向きの位置に（屈曲および外転）する余地を提供し、国際股関節形成不全研究所（Ｉｎｔｅｒｎａｔｉｏｎａｌ  Ｈｉｐ  Ｄｙｓｐｌａｓｉａ  Ｉｎｓｔｉｔｕｔｅ）によって推奨されるように乳児の脚に可動域を提供する。加えて、狭いラップは、ラップを外す必要なく、おむつを交換するためのアクセスを可能にする。
【００１６】
ＳＳＡＷのいくつかの実施形態は、折り返しミトンカフス、介護者が乳児に自分の手へのアクセス（接触）を提供するための２つのオプションを可能にする重要な革新を含む。第１のオプションでは、ＳＳＡＷは、乳児が開位置の折り返しミトンカフスを介して自分の手への皮膚と皮膚（手と口、手と手、手と顔）のアクセスを有することを可能にする。第２のオプションでは、ＳＳＡＷは、介護者が選択した場合、折り返しミトンカフスを介して手の開口部を閉じることができ、乳児は、自己快適さのためにまだ顔に手を持ってくることができる。
【００１７】
他の利用可能なくるみポッドの設計は、乳児が自分の手への皮膚と皮膚のアクセスを有するのを可能にしないので、ＳＳＡＷ折り返しミトンカフスの機能は、革新的で重要である。上述のように、従来技術のくるみポッドは、乳児の手に皮膚と皮膚の接触を可能にしない。対称的に、開いたカフス位置で、ＳＳＡＷは、乳児が自分の手と皮膚と皮膚の接触にアクセスし経験する十分な機会を提供する。
【００１８】
このＳＳＡＷの設計は革新的であり、手へのアクセスを有して自然の位置にある乳児をサポートすることを可能にする。乳児が、自己やすらぎして、自分の手を吸って、乳児が空腹であり授乳の準備ができていることを介護者に伝えることができることは非常に重要である。活発に手を吸うことは、空腹感および最初の乳児キューの兆候である。泣くことは、空腹感の遅い兆候である。幼児の研究者および幼児の専門家は、乳児と介護者の間の最初のコミュニケーションが重要であると考えているので、介護者は、適切に応答できて、このキューで乳児に授乳することができる。授乳によって満たされるキューのこの早めの行為は、健全な関係の基礎である信頼を確立する。授乳の専門家は、この乳児キューは、母乳育児の母親にとって、母乳育児、母乳の低下と供給、および乳児主導の授乳手順を確立するのを助けるために重要であると考える。手の吸引はまた、幼児の胃腸管の成熟、手の制御の成熟を助け、乳児に快適さも提供する。吸引は、乳児にとって最も組織的な行動であり、睡眠／覚醒の制御を助ける。加えて、乳児は、それにより学習し、安心感を持ち、コミュニケーションする手や口の周りに多くの神経終末を有する。
【００１９】
従来のくるみポッドの設計は、乳児が布を通して吸うことによって手を吸うことができたが、乳児介護者および授乳の専門家は、乳児にとって布の層なしで手への皮膚から皮膚への直接のアクセスを有することが重要であることに同意する。加えて、洗濯後に洗剤や化学物質が布地に含まれる危険性があるため、乳児が布地を吸わないことはより安全で好ましく、それは、布地に含まれる洗剤や化学物質に関連する暴露とリスクを最小化する。
【００２０】
ＳＳＡＷは、モロ反射を抑制するためにくるみ様のサポート状態に乳児をサポートし、乳児が複数の腕の位置オプションを有する自然のサポート位置にて背中で眠ることを可能にし、モロ反射またはびっくり反射に起因する目覚めが少なくより長い乳児の眠りを含むくるみの利点を享受するように設計される。その設計は、以下に記載する乳児の低部領域、中央領域、および上部領域に対して最適化される。
【００２１】
低部領域（腰および脚）では、ＳＳＡＷは腰と脚の周りにきつくなく、腰と膝を曲げることができ、脚を動かすための十分な余地を提供する。中央領域（胴体）では、調整可能な羽を備えるくるみ袋は、中央部と腹の周りにサポートを提供するため比較的ぴったりしていて、乳児が安心感を持つ助けとなる。
【００２２】
上部領域（胸、腕および手）では、ＳＳＡＷはぴったりしているが、きつ過ぎず、付属のラップでモロ反射に関連する動きを抑制する。独自に形状設定されたスリーブを有するＳＳＡＷにより、（１）両手が開いた折り返しカフスによって覆われていない、乳児が乳児キューと自己やすらぎのために皮膚と皮膚の吸引に使用できる状態で両腕を曲げて正中線に置く、（２）片方の手が折り返しカフスに覆われ、片方の手が覆われてなく、乳児が乳児キューと自己やすらぎのために皮膚と皮膚の吸引に使用できる状態で両腕を曲げて正中線に置く、（３）両手が覆われているが、自己安らぎのため口に届く範囲にある状態で両腕を曲げて正中線に置く、（４）手が覆われているかまたは覆われてない状態で片方の腕が肩より上に伸びている、手が覆われているかまたは覆われてない状態で片方の腕を正中線に置く、（５）手が覆われているかまたは覆われてない状態で両腕が肩より上に延びることを含む、（特定の実施形態に提示される場合）折り返しカフスのための複数の構成と組み合わされた複数の腕の位置が可能になる。
【００２３】
いくつかの実施形態では、重要な利点は、本明細書に記載の折り返しカフス、スリーブ設計、および狭いラップの組み合わせから生まれる。具体的には、カフスが閉じているとき、乳児は、ラップの下縁をつかむため手を簡単に使い、ラップを、危険な状態をもたらし得る首と顔の領域まで引き上げることができない。したがって、カフスおよびスリーブの設計は、狭いラップと共に働いて、安全に関する利点およびおむつ交換のためのアクセスが改善され、腰と膝の可動性が増したことを含む利点をもたらす。
【００２４】
図１Ａ、１Ｂ、２Ａ、および２Ｂは、第１の実施形態によるくるみデバイス１００の様々な図および校正を示す線図である。図１Ａに示すように、くるみデバイス１００は、乳児用の入口および出口を可能にするための首開口部１０２を有する袋部１０１、第１のスリーブ１０４ａ、第２のスリーブ１０４ｂ、ラップ１１０、および双方向ジッパー１０８を含む。他の実施形態では、スナップまたはその他のファスナが、ジッパー１０８の代わりに使用され得る。
【００２５】
ラップ１１０は、確実に乳児をくるむように構成される。ラップ１１０は、通常、少なくともデバイス１１０の袋部の最大周囲長と同じ長さである。ラップ１１０は、第１のループファスナ部１１２、２つのフックファスナ部１１４、およびラップの後部上の第２のループファスナ部１１６（図１Ｂに見られる）を含む。２つのフックファスナ１１４は、洗濯前に第１のループファスナ部１１２に、または乳児がラップ１１０にくるまれるときに第２のループファスナ部１１６に、いずれかに取り外し可能に取り付けられ得る。デバイス１００の背面図（図１Ｂ）に見られるように、ラップ１１０は、付属のループファスナ部１１６を有する布のパネルから形成される。この例では、部分１１６は、丸みのある角部を有する実質的に長方形である。他の実施形態では、楕円、円など、追加のまたは異なる形状設定をされた部分が使用されてもよい。
【００２６】
上述のように、ラップ１１０は、特定の利点を乳児および介護者に提供するために独自に寸法設定される。図１Ｂの背面図に示すように、ラップ１１０は、首開口部から袋の底に延びる第２の軸１２２に垂直な第１の軸１２０に沿って延びる。ラップの長さは、第１の軸１２０に沿って測定され、デバイスの袋部の周囲長より長い。いくつかの実施形態では、ラップは袋の周囲長の少なくとも１．５倍であり、その結果、乳児を固定し、フックアンドループファスナを取り付けるために十分な布がある。
【００２７】
上述のように、ラップ１１０は、従来技術設計に比べて比較的狭い。加えて、ラップは、デバイス１００の中央部よりずっと下に伸びない点で比較的「短い」。いくつかの実施形態では、ラップ１１０は、乳児の腰の上部を越えて延びない。図２Ａに見られるように、ラップ１１０は、基準線１３４と１３２の間で測定される袋の最も狭い部分より下にある最大距離の下縁１３０を有する。加えて、図２Ｂに見られるように、ラップ１１０は、基準線１４２に対して示される首開口部より下にある上縁１４０を有する。図示の実施形態では、上縁１４０は、約１インチ（２．５４ｃｍ）首開口部より下である。異なる実施形態では、ラップは、１０インチ（２５．４ｃｍ）、１１インチ（２７．９ｃｍ）、１２インチ（３０．５ｃｍ）、および１３インチ（３３ｃｍ）のうちの１つである（上縁１４０と下縁１３０との間で測定される）最大幅を有する。
【００２８】
いくつかの実施形態は、ラップ１１０をデバイス１００の袋部に取り付けるためファスナの独自の組み合わせを使用する。図２Ａの正面図に見えるように、ラップ１１０は、２つの留め具１３８ａおよび１３８ｂを介して袋の前部パネルに取り付けられる。留め具１３８は、ラップ１１０とデバイス１００の前部パネルとの間の結合を強化するため複数のステッチを含む。この実施形態では、留め具１３８は、袋の前部パネルと後部パネルを接合するサイドシーム（見ることができない）から約１インチ（２．５４ｃｍ）に配置される。留め具１３８は乳児がラップ１１０を引き上げ、できる限りラップを首と顔の領域まで上手く動かすことを妨げるように機能し、それにより新鮮な空気へのアクセスを損なう危険を減らし、窒息の危険を減らす。研究は、新鮮な空気へのアクセスを損なうことで再呼吸になり、ＳＩＤＳの危険を増加させることを示している。追加の留め具が使用されてもよい。例えば、図２Ｂの背面図では、ラップ１１０は、中央ステッチ線１５２および留め具１５０ａ〜ｃを介して袋の後部パネルに取り付けられる。
【００２９】
デバイス１００のいくつかの実施形態は、折り返しミトンカフスを含む。図１Ａに見られるように、各スリーブ１０４は、対応する折り返しミトンカフス１０６（「折り返しカフス」または「カフス」）を含む。各折り返しカフス１０６は、介護者によって選択的に開放可能である。図１Ａおよび１Ｂは、それぞれ、開位置のカフス１０６を有するデバイス１００の正面図および背面図を示す。この位置で、カフス１０６は、腕がラップ１１０によってくるまれていないとき、乳児がスリーブ開口部を通して手を伸ばすことを可能にし、それにより乳児が自分の手を吸うことによって乳児キューおよび自己やすらぎを与えることを可能にする。
【００３０】
各カフス１０６は、それが閉位置にあるとき、乳児がカフス１０６を開くことが不可能ではなくても、極めて困難であるように寸法決めされる。図１Ａに示すように、各カフス１０６は、対応するスリーブの縦軸に沿って測定されることができる長さを有する。カフスの長さは、十分に長く、その結果、カフスが閉じられると、乳児が手／腕を伸ばすことによりカフスの端部に加えられる力によって容易に戻すことができない深い「ポケット」を形成する。深いポケットは、乳児が閉じたカフス１０６の材料層を通してその手をくねらせるのをさらに防止する。いくつかの実施形態では、各カフス１０６は、少なくとも２．５インチ（６．３５ｃｍ）、好ましくは２．７５インチ（６．９８ｃｍ）の長さを有する。
【００３１】
デバイス１００のスリーブも、乳児の手を乳児の頭と体により近く保つために寸法決めされる。図１Ａに見ることができるように、デバイス１００の肩からスリーブ１０４の端部まで測定される各スリーブの長さは、典型的な乳児の腕の長さと比較して比較的短い。いくつかの実施形態では、スリーブは、３．０〜４．０インチの長さである。短いスリーブの長さ（本明細書で論じられる他の特徴とともに）により、乳児の腕がラップの外側にある場合、デバイス１００は、モロ反射を部分的に抑制することができる。スリーブは、乳児の腕にいくらかの制約を提供するが、乳児の腕を下に抑え込むのに役立つくるみブランケットまたはくるみデバイスによって提供されるほど大きくはない。
【００３２】
スリーブは、くるみデバイス１００の肩線の上に遠位端を有するＹ字形構成で上方へ延びる。上述のように、ミトンカフスが閉じた状態では標準スリーブより短いため、完全な伸張を防ぐため抵抗を生じる。スリーブの形状は、その頭の上に手を置いて自然な姿勢で寝ている乳児の腕の位置に沿うように形作られる。スリーブはそれぞれ、乳児の腕と手がスリーブ部に収まるのに十分な余地を可能にし、これにより、胸に手を乗せた姿勢、肘を体の両側に置いて手を肩と一直線にした姿勢、タッチダウン位置の肩の上に腕が届く姿勢を含む、複数の自然な姿勢で乳児が眠ることができる。スリーブは、限られた移動を可能にして、モロ反射に関連する腕の動きを部分的に抑制する。
【００３３】
図２Ａおよび２Ｂは、それぞれ、閉位置のカフス１０６を有するデバイス１００の正面図および背面図を示す。カフス１０６は閉位置にあるとき、顔を引っ掻くことを心配する介護者のため、乳児が袋から自分の手を伸ばすことを防ぐために乳児の手を袋の中に含む。この実施形態および他の実施形態では、折り返しカフスは、（示すように）前から後ろへ畳まれるときに閉位置にあるように、または後ろから前に畳まれるとき閉位置にあるように構成されてよいことに留意されたい。
【００３４】
くるみデバイス１００は、モロ反射を抑制するためにくるみ様のサポート状態に乳児をサポートし、乳児が複数の腕の位置オプションを有する自然のサポート位置にて背中で眠ることを可能にし、モロ反射またはびっくり反射に起因する目覚めが少なくより長い乳児の眠りを含むくるみの利点を享受するように設計される。
【００３５】
くるみデバイス１００は、３つの別個の部分または領域を含み、そのそれぞれは、乳児に１つまたは複数の重要な機能あるいはサポートを提供するために最適化される。底部（腰および脚）では、デバイス１００は、腰および脚の周りにきつくなく、腰および膝を曲げることができ、脚を動かすのに十分な余地を提供する。中央部（胴体）では、デバイス１００は、中央部と腹の周りにサポートを提供するため比較的ぴったりしていて、乳児が安心感を持つ助けとなる。上部（胸、腕および手）では、デバイス１００はきついが、きつ過ぎず、モロ反射に関連する動きを部分的に抑制し、乳児が自然で快適な姿勢で眠る複数の腕の位置オプションを可能にする。腕の位置オプションは、両腕を曲げて両手を袋の内側の正中線に置く、両腕を上げて両手を肩に並べて袋の中に置く、両腕を上げて両手を袋の内側の肩の上に置く、または両腕を上げて両手を袋の外側において乳児が乳児キューおよび自己やすらぎのため皮膚と皮膚の吸引に利用できることを含む。
【００３６】
図３Ａおよび３Ｂは、第２の実施形態によるくるみデバイス２００の第２の実施形態の正面図および背面図を示す。デバイス２００は、デバイス２００のラップ１１０はより長く、ファスナ部を含んでいない点で第１の実施形態（図１および２）のデバイス１００とは異なる。ここに示すラップ１１０は、ラップ１１０の上方移動を抑制するためデバイス１００の前側にファスナ部も含むことに留意されたい。
【００３７】
図４は、くるみデバイス３００の第３の実施形態の正面図を示す。デバイス３００は、デバイス３００が、折り返しミトンカフスを含んでいない点で第１の実施形態（図１および２）のデバイス１００とは異なる。３つの実施形態を示し上述してきたが、様々な特徴が他の実施形態に異なって組み込まれていてもよい。例えば、別の実施形態が、ファスナを有し、折り返しカフスのない長いラップを含んでもよい。
【００３８】
図５は、例示的な実施形態によるくるみデバイス５００内に乳児５０２を示す線図である。乳児の左手は露出するが、その右手は、開放可能なスリーブの中にラップによって確実に含まれることに留意されたい。
【００３９】
図５はまた、乳児の体のサイズに対する上部、中央部、および底部の相対的寸法を示す。上部では、モロ反射と関連した上半身の動きを軽減および抑制するようにデバイス６００（ラップの下を図示せず）のスリーブおよび胸は比較的きつい。中央部では、デバイス６００は、乳児の腹の領域の周りに比較的ぴったり収まる。この領域の心地よさは、乳児が安心感を持つ助けとなる。底部では、デバイス６００は、乳児が腰および膝を曲げることができるように十分に広い一方で、モロ反射に関連する下半身の動きを軽減し部分的に抑制する。
【００４０】
くるみデバイスの上部、中央部、および底部は、モロ反射の抑制、腰の健康などを含む上述の利点を提供するために発明者によって決定されたサイズに寸法決めされる。いくつかの実施形態では、くるみデバイスの中央部は、１３〜１７インチ（３３〜４３．２ｃｍ）の範囲の周囲長を有し、周囲長は、デバイスが、未熟児、新生児、または年長の乳児のサイズ用に作られるかどうかに応じて変化する。中央部の周囲長は、乳児の腹の周囲長より５〜１０％短くなるように設計される。伸縮性のある布構造の使用と相まって、より小さい周囲長は、乳児の腹に適度の一定圧力を提供する。
【００４１】
中央部の寸法とは対照的に、電球型の底部の最大周囲長は、２１〜２６インチ（５３．３４〜６６．０４ｃｍ）の範囲であってもよい。相対的に見れば、底部の最大周囲長は、中央部の平均周囲長より少なくとも４０％大きい。典型的な実施形態では、底部の最大周囲長は、中央部の平均周囲長より約５０％大きい。いくつかの実施形態では、中央部は、その周囲長が、全体にわたって１０％より大きく変化しないという点で、実質的に円筒形である。他の実施形態では、例えば図１Ａに見られるように、中央部は、その上端および下端より狭い腰を有する。
【００４２】
図６Ａ〜６Ｃは、例示的なくるみデバイス６００の複数の図を示す画像である。図６Ａは、乳児のいないデバイス６００を示す。デバイス６００は、開位置の折り返しカフスを有する。図６Ｂは、乳児がラップにくるまれているデバイス６００を示す。乳児の右手は、開いた折り返しカフスを介して露出していることに留意されたい。図６Ｃは、乳児がラップにくるまれているが、両腕および両手ともラップによって囲まれている状態のデバイスを示す。図６Ｃは、介護者がおむつと乳児の脚にラップを取り外すことなくアクセスできる狭いラップ構成によって提供されるアクセスを示す。
【００４３】
本明細書に図示し説明される実施形態は、それぞれのパネルの周囲に沿って一緒に縫製された、主として前部および後部布パネルで製造することができる。布パネルは、柔らかく伸縮性のある木綿または実質的に木綿ベースの布で作られる。場合によっては、布は、エラスタンなどの剛性弾性繊維を含んでもよい。木綿、合成、半合成、および／または弾性繊維の様々な混合が使用されてもよい。
【００４４】
上述のように、本発明の実施形態が図示され説明されて来たが、本発明の精神および範囲から逸脱しない限り、多くの変更がなされてもよい。したがって、本発明の範囲は、上記の開示によって制限されない。
【図１Ａ】
2021512237.tif 000003
【図１Ｂ】
2021512237.tif 000004
【図２Ａ】
2021512237.tif 000005
【図２Ｂ】
2021512237.tif 000006
【図３Ａ】
2021512237.tif 000007
【図３Ｂ】
2021512237.tif 000008
【図４】
2021512237.tif 000009
【図５】
2021512237.tif 000010
【図６Ａ】
2021512237.tif 000011
【図６Ｂ】
2021512237.tif 000012
【図６Ｃ】
2021512237.tif 000013
【国際調査報告】
2021512237.tif 000014